(57)【要約】【課題】軽量で製造コストが安く、しかも再利用の容易なコンクリート型枠を提供する。【解決手段】下部の主型枠体２と上部の補助型枠体３とからなり、前記主型枠体２は縦長な長方形の主型板２ａの裏面の両側部に上部を該主型板２ａの上方へ突出させた縦桟２ｂ、２ｂをそれぞれ固定すると共に該主型板２ａの下端部に横桟２ｃを固定して形成されており、又、前記補助型枠体３は前記主型板２ａと幅が等しく前記主型板２ａよりも短い長さの補助型板３ａの裏面の上端部に横桟を固定して形成されていて、これら主型枠体２と補助型枠体３とを組合わせて釘止めし、木製のコンクリート型枠１を形成した。【選択図】図２
2008127922.tif 000002
【特許請求の範囲】
【請求項１】
下部の主型枠体と上部の補助型枠体とからなり、前記主型枠体は縦長な長方形の主型板の裏面の両側部に上部を該主型板の上方へ突出させた縦桟をそれぞれ固定すると共に、該主型板の裏面の下端部に横桟を固定して形成されており、又、前記補助型枠体は前記主型板と幅が等しく前記主型板よりも短い長さの補助型板の裏面の上端部に横桟を固定して形成されていて、これら主型枠体と補助型枠体とを組合わせて一体に形成したコンクリート型枠。
【請求項２】
前記主型枠体と前記補助型枠体とにそれぞれ縦方向の長さの異なる複数の型枠体を準備し、これら主型枠体と補助型枠体とを組合わせて全長の異なるコンクリート型枠を形成するようにした請求項１に記載のコンクリート型枠。
【請求項３】
前記主型枠体の裏面に、補強用の縦桟を前記主型枠板の両側部の縦桟の間に固定して配置すると共に、該補強用の縦桟の上部が前記両側部の縦桟と同等の長さで前記主型板の上方へ突出して形成されている請求項１に記載のコンクリート型枠。
【発明の詳細な説明】
【技術分野】
【０００１】
本発明は、鉄筋コンクリートビル等の建築工事において、特に梁下の壁部やスラブ下等のコンクリート打設時に使用するコンクリート型枠に関する。
【背景技術】
【０００２】
鉄筋コンクリートビルの建築工事において、梁下の壁部等へのコンクリート打設に使用するコンクリート型枠は、幅を６０ｃｍ一定とし、その長さは前記梁下の壁の高さに合わせて切断した木製のものが一般に使用されている。
【０００３】
前記梁下壁の高さは工事毎に異なる場合が多く、従ってコンクリート型枠は毎回作り直しされていた。
【０００４】
尚、長方形の主型枠の裏面に複数の縦桟と横桟とを固着した主型枠と、該主型枠と幅が等しく所定の高さの補助型板の裏面に複数の縦桟と横桟とを固着した補助型枠とからなり、これら主型枠と補助型枠のいずれか一方の縦桟のうち少なくとも２本の縦桟が型板から突出すると共にこれら主型枠と補助型枠の縦桟が互に摺動可能に形成して、これら主型枠と補助型枠との組合せにより各種長さの異なるコンクリート型枠の要望に応えるようにした例がある（例えば特許文献１参照。）。
【特許文献１】特許第２８３５３２８号公報
【発明の開示】
【発明が解決しようとする課題】
【０００５】
前記特許文献１の発明のコンクリート型枠は、該コンクリート型枠を形成する主型枠と補助型枠の双方に複数の中間縦桟を設けたので、コンクリート型枠の重量が重くなって取り扱いが不便であるという問題があった。
【０００６】
又、前記主型枠の中間縦桟と前記補助型枠の中間縦桟とが互いに摺接係合する構造に形成したので、これら主型枠及び補助型枠の製造には高い精度及び技術を要してコスト高になるという問題があった。
【０００７】
本発明はこれらの問題点を解消し、軽量で製造コストが安く、しかも再利用の容易なコンクリート型枠を提供することを目的とする。
【課題を解決するための手段】
【０００８】
本発明は前記の目的を達成すべく下部の主型枠体と上部の補助型枠体とからなり、前記主型枠体は縦長な長方形の主型板の裏面の両側部に上部を該主型板の上方へ突出させた縦桟をそれぞれ固定すると共に、該主型板の裏面の下端部に横桟を固定して形成されており、又、前記補助型枠体は前記主型板と幅が等しく前記主型板よりも短い長さの補助型板の裏面の上端部に横桟を固定して形成されていて、これら主型枠体と補助型枠体とを組合わせて一体に形成した。
【発明の効果】
【０００９】
本発明によれば、木製で低コストのコンクリート型枠を提供できると共に、予め準備した主型枠体と補助型枠体との組合わせにより長さの異なるコンクリート型枠の提供が可能であり、更に一度使用したコンクリート型枠の再利用時にも作り直しの手間が掛からなくなる効果を有している。
【発明を実施するための最良の形態】
【００１０】
本発明を実施するための最良の形態の実施例を以下に示す。
【実施例１】
【００１１】
本発明のコンクリート型枠の実施例１を図１乃至図４により説明する。
【００１２】
図１は実施例１のコンクリート型枠１の側面図であり、図２は該コンクリート型枠１を裏面より見た平面図である。
【００１３】
コンクリート型枠１はベニヤやラワン等の木製で、下部の主型枠体２と上部の補助型枠体３とからなる。
【００１４】
主型枠体２は縦長の長方形の主型板２ａと、該主型板２ａの裏面の両側部に固定され上部を該主型板２ａの上方へ突出させた２本の縦桟２ｂ、２ｂと、該主型板２ａの裏面の下端部に固定された横桟２ｃとからなる。
【００１５】
前記補助型枠体３の裏面側の平面図を図３に示した。
【００１６】
補助型枠体３は補助型板３ａと、該補助型板３ａの上端部に固定された横桟３ｂとからなる。
【００１７】
該補助型板３ａは四角形に形成されて前記主型板２ａと同じ幅を有し、又該補助型板３ａの長さは、前記縦桟２ｂ、２ｂの前記主型板２ａの上端からの突出部分の長さと前記横桟３ｂの幅の和より大で前記主型板２ａよりも短く形成されている。
【００１８】
又、この補助型枠体３とは別に、該補助型枠体３の長さの継ぎ足し用として、前記補助型板３ａと同じ幅を有し、長さを自由に加工可能な木製のスペーサ板３´を用意しておく。
【００１９】
次に前記主型枠体２及び前記補助型枠体３及びスペーサ板３´で準備される一連の長さの異なる型枠体及びその使用方法について説明する。
【００２０】
前記主型枠体２と補助枠体３とを組合わせて一体のコンクリート型枠１を形成するときは、前記主型板２ａの上端部と前記補助型板３ａの下端部とを当接させて、隙間から生コンクリートが漏れ出さないようにし、前記縦桟２ｂ、２ｂの突出部と前記補助型板３ａとを釘止めして両型枠体を相互に固定して一体のコンクリート型枠に形成する。
【００２１】
こうして形成されたコンクリート型枠１は、幅を６０センチメートル一定とし、全長は２１０センチメートル乃至３１０センチメートルのものが得られるようにする。
【００２２】
即ち主型枠体２は、主型板２ａを幅６０センチメートル、長さ１８０センチメートル一定とし、主型板２ａの裏面の両側部に固定する縦桟２ｂ、２ｂの該主型板２ａの上方への突出部長さがそれぞれ１５センチメートル、４５センチメートル、６５センチメートル、８５センチメートル及び１０５センチメートルと、突出長さの異なる５種類の主型枠体２Ａ、２Ｂ、２Ｃ、２Ｄ及び２Ｅを準備する。
【００２３】
又、補助型枠体３については補助型板の幅を６０センチメートルの一定とし、補助型板の長さをそれぞれ３０センチメートル、５０センチメートル、７０センチメートル、９０センチメートル及び１１０センチメートルとした長さの異なる５種類の補助型枠体３Ａ、３Ｂ、３Ｃ、３Ｄ及び３Ｅを準備する。
【００２４】
又、前記スペーサ板３´は幅６０センチメートル、長さ３０センチメートルのものを用意し、使用時に必要長さにまで切断して使用する。
【００２５】
かくて、これら主型枠体２と補助型枠体３及び必要に応じてスペーサ板３´の組合せによって図４の表に示す如き各種長さのコンクリート型枠の使用が可能となり、工事現場における作業が簡単になる。
【００２６】
尚、主型枠体２と補助型板体３の組合せ全長とは異なる全長のコンクリート型枠が必要なときには、補助型枠体３と主型枠体２との間に所要長さに加工したスペーサ板３´を介在させて釘止めし、コンクリート型枠の全長が所要の長さとなるように調節する。
【００２７】
本発明のコンクリート型枠は、主型枠体と補助型枠体及びスペーサ板との組合せにより種々の全長のものが得られ、一度使用したコンクリート型枠でも追加の加工なしに再利用ができる。又、本実施例のコンクリート型枠は桟木の使用量が少ないので、床スラブ用型枠板への再利用にも有利である。
【実施例２】
【００２８】
本発明のコンクリート型枠の実施例２を図５及び図６により説明する。
【００２９】
図５は実施例２のコンクリート型枠１１の側面図であり、図６は該コンクリート型枠１１を裏面より見た平面図である。
【００３０】
本実施例のコンクリート型枠１１は、前記実施例１における主型枠体２の代りに、該主型枠体よりも多数の縦桟を有する主型枠体１２を用いるようにした点が前記実施例１のコンクリート型枠１とは異なっている。
【００３１】
即ちコンクリート型枠１１で用いている主型枠体１２は、主型板２ａの裏面の両側部に固定され上部を該主型板２ａの上方へ突出させた２本の縦桟２ｂ、２ｂの間に、更に２本の補強用の縦桟１２ａ、１２ａを略等間隔に配置して主型板２ａに固定している。
【００３２】
追加した前記２本の補強用縦桟１２ａ、１２ａは、共に前記縦桟２ｂ、２ｂと等しい長さだけ、その上部を主型板２ａの上方へ突出させている。
【００３３】
これらの突出部長さは、前記実施例１の場合と同様に１５センチメートル、４５センチメートル、６５センチメートル、８５センチメートル及び１０５センチメートルの５種類を準備した。
【００３４】
又、継ぎ足し用のスペーサ板３´は幅６０センチメートル、長さ３０センチメートルのものを用意し、使用時に必要長さにまで切断するようにした。
【００３５】
こうして本実施例のコンクリート型枠１１も実施例１と同様に前記主型枠体１２と補助枠体３及び必要に応じてスペーサ板３´を組合わせて釘止めし、幅６０センチメートルで全長２１０センチメートル乃至３１０センチメートルのもの（図４の表に示す全長と同じ）が得られる。
【００３６】
本実施例のコンクリート型枠１１は前記実施例１のコンクリート型枠１よりも強い耐圧力を要する箇所に使用される。
【産業上の利用可能性】
【００３７】
本発明のコンクリート型枠は、鉄筋コンクリートビル等の建築工事において、特に梁下の壁部やスラブ下等に利用される。
【図面の簡単な説明】
【００３８】
【図１】実施例１のコンクリート型枠の側面図である。
【図２】同上コンクリート型枠の裏面の平面図である。
【図３】同上コンクリート型枠の一部、補助型枠体の裏面の平面図である。
【図４】コンクリート型枠の組合せ一覧の表である。
【図５】実施例２のコンクリート型枠の側面図である。
【図６】図４に示すコンクリート型枠の裏面の平面図である。
【符号の説明】
【００３９】
１、１１      コンクリート型枠
２、１２      主型枠体
２ａ          主型板
２ｂ、１２ａ  縦桟
３            補助型枠体
３ａ          補助型板
３ｂ          横桟
【図１】
2008127922.tif 000003
【図２】
2008127922.tif 000004
【図３】
2008127922.tif 000005
【図４】
2008127922.tif 000006
【図５】
2008127922.tif 000007
【図６】
2008127922.tif 000008
【手続補正書】
【提出日】平成18年12月7日(2006.12.7)
【手続補正１】
【補正対象書類名】図面
【補正対象項目名】全図
【補正方法】変更
【補正の内容】
【図１】
2008127922.tif 000009
【図２】
2008127922.tif 000010
【図３】
2008127922.tif 000011
【図４】
2008127922.tif 000012
【図５】
2008127922.tif 000013
【図６】
2008127922.tif 000014